【手続補正書】
【提出日】平成16年2月26日(2004.2.26)
【手続補正１】
【補正対象書類名】明細書
【補正対象項目名】特許請求の範囲
【補正方法】変更
【補正の内容】
【特許請求の範囲】
【請求項１】
携帯電話機の中に、クレジットカード利用登録がされたクレジットカード番号を含む情報を記憶させて、所定の認証処理により決済をするシステムにおいて、
前記携帯電話機と基地局との間の位置登録のための通信により、前記携帯電話機の電話番号とともに前記クレジットカード番号を含む情報を基地局に登録する手段と、
同一のクレジットカード番号であって携帯電話機番号が異なる通知があった場合と、別々の基地局で同一のクレジットカード番号の通知があった場合に、不正なクレジットカードが登録されたと判断するクレジットカードの予備的な認証を行う手段とを備えたことを特徴とするクレジットカードの決済システム。
【請求項２】
請求項１に記載のクレジットカードの決済システムにおいて、
前記予備的な認証が終了した後に、クレジットカード番号と有効年月日を含む等の情報を電話番号と共に基地局に登録する手段と、
携帯電話機のクレジットカードが使用されたとき、基地局にクレジットカード番号の照会を行い、基地局においてクレジットカードの認証をする手段を備えたことを特徴とするクレジットカードの決済システム。
【請求項３】
請求項２に記載のクレジットカードの決済システムにおいて、
携帯電話機の中にプリペイドカードの与信金額と支払い済金額とを表示する領域を設け、携帯電話機と携帯電話機会社のサービスシステムとの間の通信により前記与信金額を増額させることによってプリペイドカードへの入金処理を実行する手段と、
プリペイドカードの決済機と携帯電話機との通信により、前記プリペイドカードの支払い済金額を増加させることによって利用料金の支払い処理を実行する手段と、
前記プリペイドカードの決済機は、前記携帯電話機会社のサービスシステムに対し利用料金の決済を要求する処理を実行する手段と、
前記携帯電話機会社のサービスシステムは、前記プリペイドカードの与信金額を、携帯電話機の通話料に含める処理を実行する手段を備えたことを特徴とするプリペイドカード決済システム。
【請求項４】
請求項３に記載のプリペイドカード決済システムにおいて、
前記携帯電話機内部に、プリペイドカードへの入金処理を開始し当該入金処理が完結するまでの間プリペイドカードの使用を禁止する手段を設けたことを特徴とするプリペイドカード決済システム。
【請求項５】
請求項３に記載のプリペイドカード決済システムにおいて、
前記携帯電話機内部に、所定の制御によりプリペイドカードの使用を禁止する手段を設けたことを特徴とするプリペイドカード決済システム。
【請求項６】
請求項３に記載のプリペイドカード決済システムにおいて、
前記プリペイドカードの使用を禁止する手段は、携帯電話機会社側の制御により動作することを特徴とするプリペイドカード決済システム。
【請求項７】
請求項３に記載のプリペイドカード決済システムにおいて、
前記プリペイドカードの使用を禁止する手段は、前記決済機の制御により動作することを特徴とするプリペイドカード決済システム。
【請求項８】
請求項３に記載のプリペイドカード決済システムにおいて、
前記プリペイドカードの使用を禁止する手段は、携帯電話機利用者のダイヤル制御により動作することを特徴とするプリペイドカード決済システム。
【請求項９】
請求項３に記載のプリペイドカード決済システムにおいて、
携帯電話機と他の機器との間で無線通信により決済処理を実行する場合に、取引開始から取引の終了まで、決済処理に必要な情報の交換の際に同一の取引番号を相互に通知し合う手段と、
同一の取引番号で同一の処理が重複して実行されていないことを確認しながら前記決済処理に必要な全ての処理を実行する手段を備えたことを特徴とする携帯電話機を利用した決済方法。
【請求項１０】
請求項３に記載のプリペイドカード決済システムにおいて、
他の機器との間で無線通信により決済処理を実行するものであって、
前記他の機器から暗証番号の送信指示が入力する直前に、予め暗証番号の入力を受け付けて一時記憶する記憶領域と、
前記他の機器から暗証番号の送信指示があったとき、その暗証番号を前記記憶領域から読み出して他の機器へ一括して送信する送信キーとを設けたことを特徴とする携帯電話機。
【手続補正２】
【補正対象書類名】明細書
【補正対象項目名】０００７
【補正方法】変更
【補正の内容】
【０００７】
【課題を解決するための手段】
本発明は以上の点を解決するため次の構成を採用する。
〈構成１〉
携帯電話機の中に、クレジットカード利用登録がされたクレジットカード番号を含む情報を記憶させて、所定の認証処理により決済をするシステムにおいて、上記携帯電話機と基地局との間の位置登録のための通信により、上記携帯電話機の電話番号とともに上記クレジットカード番号を含む情報を基地局に登録する手段と、同一のクレジットカード番号であって携帯電話機番号が異なる通知があった場合と、別々の基地局で同一のクレジットカード番号の通知があった場合に、不正なクレジットカードが登録されたと判断するクレジットカードの予備的な認証を行う手段とを備えたことを特徴とするクレジットカードの決済システム。


【手続補正３】
【補正対象書類名】明細書
【補正対象項目名】０００８
【補正方法】変更
【補正の内容】
【０００８】
〈構成２〉
構成１に記載のクレジットカードの決済システムにおいて、上記予備的な認証が終了した後に、クレジットカード番号と有効年月日を含む等の情報を電話番号と共に基地局に登録する手段と、携帯電話機のクレジットカードが使用されたとき、基地局にクレジットカード番号の照会を行い、基地局においてクレジットカードの認証をする手段を備えたことを特徴とするクレジットカードの決済システム。


【手続補正４】
【補正対象書類名】明細書
【補正対象項目名】０００９
【補正方法】変更
【補正の内容】
【０００９】
〈構成３〉
構成２に記載のクレジットカードの決済システムにおいて、携帯電話機の中にプリペイドカードの与信金額と支払い済金額とを表示する領域を設け、携帯電話機と携帯電話機会社のサービスシステムとの間の通信により上記与信金額を増額させることによってプリペイドカードへの入金処理を実行する手段と、プリペイドカードの決済機と携帯電話機との通信により、上記プリペイドカードの支払い済金額を増加させることによって利用料金の支払い処理を実行する手段と、上記プリペイドカードの決済機は、上記携帯電話機会社のサービスシステムに対し利用料金の決済を要求する処理を実行する手段と、上記携帯電話機会社のサービスシステムは、上記プリペイドカードの与信金額を、携帯電話機の通話料に含める処理を実行する手段を備えたことを特徴とするプリペイドカード決済システム。


【手続補正５】
【補正対象書類名】明細書
【補正対象項目名】００１０
【補正方法】変更
【補正の内容】
【００１０】
〈構成４〉
構成３に記載のプリペイドカード決済システムにおいて、上記携帯電話機内部に、プリペイドカードへの入金処理を開始し当該入金処理が完結するまでの間プリペイドカードの使用を禁止する手段を設けたことを特徴とするプリペイドカード決済システム。


【手続補正６】
【補正対象書類名】明細書
【補正対象項目名】００１１
【補正方法】変更
【補正の内容】
【００１１】
〈構成５〉
構成３に記載のプリペイドカード決済システムにおいて、上記携帯電話機内部に、所定の制御によりプリペイドカードの使用を禁止する手段を設けたことを特徴とするプリペイドカード決済システム。


【手続補正７】
【補正対象書類名】明細書
【補正対象項目名】００１２
【補正方法】変更
【補正の内容】
【００１２】
〈構成６〉
構成３に記載のプリペイドカード決済システムにおいて、上記プリペイドカードの使用を禁止する手段は、携帯電話機会社側の制御により動作することを特徴とするプリペイドカード決済システム。


【手続補正８】
【補正対象書類名】明細書
【補正対象項目名】００１３
【補正方法】変更
【補正の内容】
【００１３】
〈構成７〉
構成３に記載のプリペイドカード決済システムにおいて、上記プリペイドカードの使用を禁止する手段は、上記決済機の制御により動作することを特徴とするプリペイドカード決済システム。
〈構成８〉
構成３に記載のプリペイドカード決済システムにおいて、上記プリペイドカードの使用を禁止する手段は、携帯電話機利用者のダイヤル制御により動作することを特徴とするプリペイドカード決済システム。
〈構成９〉
構成３に記載のプリペイドカード決済システムにおいて、携帯電話機と他の機器との間で無線通信により決済処理を実行する場合に、取引開始から取引の終了まで、決済処理に必要な情報の交換の際に同一の取引番号を相互に通知し合う手段と、同一の取引番号で同一の処理が重複して実行されていないことを確認しながら前記決済処理に必要な全ての処理を実行する手段を備えたことを特徴とする携帯電話機を利用した決済方法。


【手続補正９】
【補正対象書類名】明細書
【補正対象項目名】００１４
【補正方法】変更
【補正の内容】
【００１４】
〈構成１０〉
構成３に記載のプリペイドカード決済システムにおいて、他の機器との間で無線通信により決済処理を実行するものであって、上記他の機器から暗証番号の送信指示が入力する直前に、予め暗証番号の入力を受け付けて一時記憶する記憶領域と、上記他の機器から暗証番号の送信指示があったとき、その暗証番号を前記記憶領域から読み出して他の機器へ一括して送信する送信キーとを設けたことを特徴とする携帯電話機。


【手続補正１０】
【補正対象書類名】明細書
【補正対象項目名】００１５
【補正方法】削除
【補正の内容】